(57)【要約】【課題】  記録媒体を適切に保持することができるトレイを提供する。【解決手段】  記録媒体を保持したトレイを搬送可能な搬送手段と、トレイに保持された記録媒体の印刷面に記録する記録手段と、を備え、記録手段によって記録が行われた記録媒体がトレイから取り外されることによって印刷物を作製することが可能な記録装置に用いられるトレイであって、記録媒体を載置するための載置面と、記録装置に対するトレイの挿入方向において上流に配され、載置面に載置された記録媒体を挿入方向の下流に向けて押圧する押圧部材と、押圧部材によって押圧された記録媒体が突き当たる突き当て部と、を有する。【選択図】  図３
2020019229.tif 000002
【特許請求の範囲】
【請求項１】
記録媒体を保持したトレイを搬送可能な搬送手段と、前記トレイに保持された前記記録媒体の印刷面に記録する記録手段と、を備え、前記記録手段によって記録が行われた前記記録媒体が前記トレイから取り外されることによって印刷物を作製することが可能な記録装置に用いられる前記トレイであって、
前記記録媒体を載置するための載置面と、
前記記録装置に対する前記トレイの挿入方向において上流に配され、前記載置面に載置された前記記録媒体を前記挿入方向の下流に向けて押圧する押圧部材と、
前記押圧部材によって押圧された前記記録媒体が突き当たる突き当て部と、を有することを特徴とするトレイ。
【請求項２】
前記記録媒体は円形状のディスクであることを特徴とする請求項１に記載のトレイ。
【請求項３】
前記突き当て部は、前記ディスクの外縁が突き当たる突き当て面と、前記突き当て面に対して傾斜していて前記ディスクの印刷面の一部を覆う傾斜面と、を有することを特徴とする請求項２に記載のトレイ。
【請求項４】
前記突き当て部は、前記ディスクの外縁が突き当たる突き当て面と、前記突き当て面と接続され前記突き当て面に対して傾斜している傾斜面と、前記傾斜面及び前記トレイの表面と接続され前記ディスクの印刷面の一部を覆う庇面と、を有することを特徴とする請求項２に記載のトレイ。
【請求項５】
前記押圧部材を前記トレイに対して回転可能に接続する弾性部材を有することを特徴とする請求項１から４のいずれか１項に記載のトレイ。
【請求項６】
記録媒体を保持したトレイを搬送可能な搬送手段と、前記トレイに保持された前記記録媒体の印刷面に記録する記録手段と、を備え、前記記録手段によって記録が行われた前記記録媒体が前記トレイから取り外されることによって印刷物を作製することが可能な記録装置に用いられる前記トレイであって、
第１記録媒体と、第２記録媒体を有するアダプタと、のうちいずれか一方を載置可能な載置面と、
前記記録装置に対する前記トレイの挿入方向において上流に配され、前記載置面に載置された前記記録媒体を前記挿入方向の下流に向けて押圧する押圧部材と、
前記押圧部材によって押圧された前記第１記録媒体が突き当たる第１突き当て部と、前記押圧部材によって押圧された前記アダプタが突き当たり前記第１突き当て部と異なる第２突き当て部と、を有することを特徴とするトレイ。
【請求項７】
前記第１記録媒体は円形状のディスクであることを特徴とする請求項６に記載のトレイ。
【請求項８】
前記第２記録媒体は前記アダプタに配置されたネイルシールであることを特徴とする請求項７に記載のトレイ。
【請求項９】
前記第２記録媒体はカードであり、前記アダプタは前記カードを載置可能なカード載置面を有することを特徴とする請求項７に記載のトレイ。
【請求項１０】
前記第１突き当て部は、前記ディスクの外縁が突き当たる突き当て面と、前記突き当て面に対して傾斜していて前記ディスクの印刷面の一部を覆う傾斜面と、を有することを特徴とする請求項７から９のいずれか１項に記載のトレイ。
【請求項１１】
前記第１突き当て部は、前記ディスクの外縁が突き当たる突き当て面と、前記突き当て面と接続され前記突き当て面に対して傾斜している傾斜面と、前記傾斜面及び前記トレイの表面と接続され前記ディスクの印刷面の一部を覆う庇面と、を有することを特徴とする請求項７から９のいずれか１項に記載のトレイ。
【請求項１２】
前記記録手段はインクを吐出して画像を記録する記録ヘッドであることを特徴とする請求項１から１１のいずれか１項に記載のトレイ。
【請求項１３】
記録媒体を保持したトレイを搬送可能な搬送手段と、前記トレイに保持された前記記録媒体の印刷面に記録する記録手段と、を備え、前記記録手段によって記録が行われた前記記録媒体が前記トレイから取り外されることによって印刷物を作製することが可能な記録装置であって、
前記トレイは、前記記録媒体を載置するための載置面と、前記記録装置に対する前記トレイの挿入方向において上流に配され、前記載置面に載置された前記記録媒体を前記挿入方向の下流に向けて押圧する押圧部材と、前記押圧部材によって押圧された前記記録媒体が突き当たる突き当て部と、を有することを特徴とする記録装置。
【請求項１４】
記録媒体を保持したトレイを搬送可能な搬送手段と、前記トレイに保持された前記記録媒体の印刷面に記録する記録手段と、を備え、前記記録手段によって記録が行われた前記記録媒体が前記トレイから取り外されることによって印刷物を作製することが可能な記録装置にであって、
前記トレイは、第１記録媒体、第２記録媒体を有するアダプタと、のうちいずれか一方を載置可能な載置面と、前記記録装置に対する前記トレイの挿入方向において上流に配され、前記載置面に載置された前記記録媒体を前記挿入方向の下流に向けて押圧する押圧部材と、前記押圧部材によって押圧された前記第１記録媒体が突き当たる第１突き当て部と、前記押圧部材によって押圧された前記アダプタが突き当たり前記第１突き当て部と異なる第２突き当て部と、を有することを特徴とする記録装置。
【請求項１５】
前記記録手段はインクを吐出して画像を記録する記録ヘッドであることを特徴とする請求項１３または１４に記載の記録装置。
【発明の詳細な説明】
【技術分野】
【０００１】
本発明は、記録媒体を保持するトレイ及び該トレイを用いる記録装置に関する。
【背景技術】
【０００２】
特許文献１には、ディスク載置用凹部を有するディスク移送用トレイが開示されている。記録装置に対するトレイの挿入方向において奥側（下流側）には、ディスク載置用凹部の下面に対してディスクを圧接するためのディスク抑え手段が配されている。
【先行技術文献】
【特許文献】
【０００３】
【特許文献１】米国特許出願公開１０／４７９２７８号明細書
【発明の概要】
【発明が解決しようとする課題】
【０００４】
しかしながら特許文献１の構成では、ローラ対によってトレイを挟持して搬送する記録装置の場合、ディスク押え手段がローラ対にニップされる際に抑え手段が誤作動して、トレイからディスクが外れてしまう虞がある。
【０００５】
上記課題に鑑みて本発明は、記録媒体を適切に保持することができるトレイを提供することを目的とする。
【課題を解決するための手段】
【０００６】
本発明は、上記目的を達成するため、記録媒体を保持したトレイを搬送可能な搬送手段と、前記トレイに保持された前記記録媒体の印刷面に記録する記録手段と、を備え、前記記録手段によって記録が行われた前記記録媒体が前記トレイから取り外されることによって印刷物を作製することが可能な記録装置に用いられる前記トレイであって、前記記録媒体を載置するための載置面と、前記記録装置に対する前記トレイの挿入方向において上流に配され、前記載置面に載置された前記記録媒体を前記挿入方向の下流に向けて押圧する押圧部材と、前記押圧部材によって押圧された前記記録媒体が突き当たる突き当て部と、を有することを特徴とする。
【発明の効果】
【０００７】
本発明によれば、記録媒体を適切に保持することができるトレイが提供される。
【図面の簡単な説明】
【０００８】
【図１】第１実施形態に係る記録装置の概略斜視図である。
【図２】第１実施形態に係る記録装置の制御構成を示すブロック図である。
【図３】第１実施形態に係る記録装置に用いられるトレイを示す斜視図である。
【図４】第１実施形態に係るトレイに記録媒体を載置して保持している状態を示す上面模式図である。
【図５】第１実施形態に係るトレイによってディスクが保持されている状態を示す上面拡大図である。
【図６】第１実施形態に係るトレイの突き当て部の構成を示す図である。
【図７】比較例のトレイの突き当て部の構成を示す図である。
【図８】突き当て部の傾斜面の変形例を示す断面模式図である。
【図９】突き当て部の第２の変形例を示す上面拡大図である。
【図１０】第１実施形態に係るトレイの押圧部材の詳細構成を示す図である。
【図１１】第１実施形態に係るトレイの押圧部材のイコライズ機能を説明する図である。
【図１２】第１実施形態に係るトレイに保持されたディスクに対する印刷動作を説明する上面模式図である。
【発明を実施するための形態】
【０００９】
本発明に係るトレイを用いる記録装置の実施形態について説明する。ただし、実施形態に記載されている構成要素はあくまで例示であり、本発明の範囲を限定する趣旨のものではない。本明細書においては、間欠的に搬送される記録媒体に対しインクを吐出する記録ヘッドを、記録媒体の搬送方向と交差する方向に往復移動させて記録を行う、シリアル型のインクジェット記録装置を例にとり説明する。しかしながら、本発明はこれに限らず、長尺プリントヘッドを用いて連続的にプリントを行うライン型のインクジェット記録装置にも適用することができる。本明細書において「インク」とは、記録液などの液体の総称として用いる。さらに本明細書において「記録」とは、平面的なものに対する記録に限らず、立体物に対する記録も含む。本明細書において「記録媒体」とは、液体を吐出されるものであって、紙、布、プラスチックフィルム、金属板、ガラス、セラミックス、木材、皮革等の記録媒体の総称として用いる。
【００１０】
〔第１実施形態〕
図１は、本実施形態における記録装置１の内部構成を示す概略斜視図である。記録装置１は、記録媒体１１に対してインクを吐出する記録ヘッド１２を搭載し、Ｘ方向に往復移動するキャリッジ３１を備える。キャリッジ３１は、ガイド軸１４によってＸ方向に摺動自在に案内支持される。キャリッジ３１の移動領域の一端にプーリ付きのキャリッジモータ１５が配され、他端にアイドラプーリ１６が配されている。これらプーリにタイミングベルト１７がかけられ、キャリッジ３１とタイミングベルト１７とが連結される。ガイド軸１４を中心としてキャリッジ３１が回動するのを抑制するために、ガイド軸１４と平行に延びるサポート部材１８が＋Ｙ方向下流側に設けられている。キャリッジ３１は、サポート部材１８によって摺動自在に支持されている。Ｘ方向はキャリッジ３１の走査する方向であるため、以降で主走査方向とも称する。
【００１１】
また、記録装置１には、キャリッジ３１の移動領域内であって、記録ヘッド１２による記録動作を行わない非記録領域に、記録ヘッド１２のメンテナンスを行うためのメンテナンス機構１９が設けられている。メンテナンス機構１９は例えば、非記録時に記録ヘッド１２の吐出口面を封止するためのキャップや、吐出口面に付着した異物や余分なインクを払拭するためのワイパ等を有する。以降で、Ｘ方向においてメンテナンス機構１９が設けられている側をＨＯＭＥ側、反対側をＡＷＡＹ側と称する。
【００１２】
記録装置１にはさらに、搬送モータ２０によって駆動される第１搬送ローラ１３及び第２搬送ローラ２２（図１２参照）などを有する搬送手段を備える。第１搬送ローラ１３は記録ヘッド１２の＋Ｙ方向上流側に配され、第２搬送ローラ２２は記録ヘッド１２の＋Ｙ方向下流側に配される。記録媒体１１は、搬送手段によってＸ方向と交差する＋Ｙ方向に搬送される。なお、本実施形態においてＸ方向とＹ方向は直交する。
【００１３】
また、記録装置１は、記録ヘッド１２がキャリッジ３１とともにＸ方向に移動しながらインクを吐出する記録動作と、搬送手段が記録媒体１１をＹ方向に搬送する間欠搬送動作を繰り返すことで、記録媒体１１の全体に画像を記録する。搬送手段によって搬送される記録媒体１１は、記録ヘッド１２と対向する位置に配されるプラテン１０によって下面を支持される。
【００１４】
搬送手段によって記録媒体１１が搬送される搬送経路内には、記録媒体１１を検知可能なエッジセンサ２６が設けられている。本実施形態では、エッジセンサ２６はキャリッジ３１より＋Ｙ方向上流側に設けられている。エッジセンサ２６は、光学式でもメカニカル式であってもよい。
【００１５】
記録装置１は、紙等の記録媒体の他に、プリンタブルディスク（以下、ディスク）等の薄板状の記録媒体に対しても記録を行うことができる。薄板状の記録媒体に記録を行う場合は、ユーザが専用のトレイ３（図３参照）に記録媒体を載置して保持させ、トレイ３を通常の搬送方向（＋Ｙ方向）と反対の−Ｙ方向に沿って記録装置１に挿入する。キャリッジ３１には、このようにユーザによって挿入されるトレイ３を検知する光学センサ２５Ａが取り付けられている。光学センサ２５Ａは、発光部と受光部を有する反射型センサである。
【００１６】
トレイ３を用いた記録を行うときは、ユーザが第２搬送ローラ２２と拍車の間にトレイ３を挿入し、所定位置まで進入させる。記録装置１の所定位置まで挿入されたトレイ３を光学センサ２５Ａが検知すると搬送モータ２０を駆動させる。搬送モータ２０の駆動によって、第１搬送ローラ１３及び第２搬送ローラ２２は記録媒体を通常搬送する際の回転方向と逆方向に回転し、トレイ３を記録ヘッド１２と対向する位置まで搬送する。
【００１７】
このように記録装置１は、＋Ｙ方向の上流側から搬送される紙等の記録媒体と、第２搬送ローラ２２側から挿入されたトレイ３の両方を搬送可能に構成されている。通常の搬送方向である＋Ｙ方向と反対の−Ｙ方向は、ユーザによってトレイ３が挿入される方向であり、以下で挿入方向とも称する。
【００１８】
図２は、記録装置１の制御構成を示すブロック図である。コントローラ４００は、例えば、マイクロコンピュータ形態のＣＰＵ４０１、プログラムやその他の固定データを格納したＲＯＭ４０３、画像データを展開する領域や作業領域等を設けたＲＡＭ４０５を有する。ホスト装置４１０は記録装置１に接続された画像データの供給源であり、画像データの生成や処理等を行うパーソナルコンピュータ（ＰＣ）、画像読取用のスキャナ装置、デジタルカメラ等の形態であってもよい。画像データ、その他のコマンド、ステータス信号等は、インタフェース（Ｉ／Ｆ）４１２を介してコントローラ４００との間で送受信される。
【００１９】
操作部４２０は操作者による指示入力を受け付ける複数のスイッチを含む。これらは、電源スイッチ４２２、記録ヘッド１２のメンテナンス動作を指示するための回復スイッチ４２６、レジスト調整モードを実行する際にユーザがコマンドを入力するためのレジスト調整起動スイッチ４２７等である。
【００２０】
センサ群４３０は記録装置１の状態を検知するための複数のセンサから構成される。これらは、キャリッジ３１に搭載されている光学センサ２５Ａ、搬送経路内において記録媒体１１を検知するエッジセンサ２６、環境温度を検知するために設けられた温度センサ４３４等を含む。
【００２１】
また、記録ヘッド１２には、インクの吐出特性を安定させるために温度調整を行うサブヒータ４４２と、記録に用いる記録素子４０２とが設けられている。サブヒータ４４２は、記録素子４０２とともに記録ヘッド１２の基板上に形成される形態や、記録ヘッド１２本体ないしはヘッドカートリッジに取り付けられる形態がある。
【００２２】
モータドライバ４５０はキャリッジモータ１５を駆動するドライバであり、モータドライバ４６０は記録媒体１１やトレイ３を搬送するために用いられる搬送モータ２０を駆動するためのドライバである。
【００２３】
続いて図３を用いて、本実施形態のトレイ３を説明する。トレイ３は主に、記録媒体を載置するために周囲より低く形成された載置面としての凹部４１と、凹部４１に載置された記録媒体１１を押圧しスライド可能な押圧部材４２と、押圧部材４２を付勢する弾性部材４３Ａ、４３Ｂとを備える。押圧部材４２は、弾性部材４３Ａ、４３Ｂによってトレイ３の挿入方向（−Ｙ方向）の下流に向けて付勢されている。また、トレイ３には、凹部４１に載置されて押圧部材４２によって押圧（付勢）された記録媒体を突き当てて位置決めするための、第１突き当て部４４及び第２突き当て部４５が設けられている。
【００２４】
第１突き当て部４４は、例えばディスク等の円形の記録媒体を突き当て可能な位置に配されており、下流側第１突き当て部４４Ａ、４４Ｂと、上流側第１突き当て部４４Ｃを含む。下流側第１突き当て部４４Ａ、４４Ｂは、トレイ３の挿入方向（−Ｙ方向）において凹部４１の下流側であって、記録媒体の円形状に沿うようにトレイ３の挿入方向（またはトレイ３の長手方向）に対して斜めに配されている。上流側第１突き当て部４４Ｃは、−Ｙ方向において凹部４１より上流側に配される押圧部材４２の、Ｘ方向における中心部に配されている。
【００２５】
また、第２突き当て部４５は、後述する台紙（アダプタ）等の四角形状の記録媒体を突き当て可能な位置に配されており、下流側第２突き当て部４５Ａ、４５Ｂと上流側第２突き当て部４５Ｃ、４５Ｄを含む。下流側第２突き当て部４５Ａ、４５Ｂは、トレイ３の挿入方向（−Ｙ方向）において凹部４１の下流側であって、Ｘ方向において第１突き当て部４４Ａ、４４Ｂの外側に配されている。また、上流側第２突き当て部４５Ｃ、４５Ｄは、−Ｙ方向において凹部４１より上流側に配される押圧部材４２の、Ｘ方向における両端部に設けられている。すなわち押圧部材４２には、上流側第２突き当て部４５Ｃと４５Ｄの間に、ディスク等を突き当て可能な上流側第１突き当て部４４Ｃが設けられている。
【００２６】
図４は、トレイ３に記録媒体を載置して保持している状態を示す上面模式図である。図４（ａ）は、円形記録媒体としてディスク５１を保持している状態を示す。ディスクとしては、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）などのプリンタブルな光学ディスクが挙げられる。ディスク５１がトレイ３に保持されているとき、ディスク５１の外縁が上流側第１突き当て部４４Ｃと突き当たることでディスク５１の位置決めがなされる。なお、ディスク５１がトレイ３に位置決めされているとき、ディスク５１と第２突き当て部４５Ａ〜４５Ｄは突き当たらない。
【００２７】
図４（ｂ）は、トレイ３の凹部４１の形状と対応する形状を有し、記録媒体を載置可能なアダプタとしての台紙５２を保持している状態である。台紙５２がトレイ３に保持されているときは、台紙５２と各第２突き当て部４５Ａ〜４５Ｄが突き当たることで台紙５２の位置決めがなされる。なお、台紙５２がトレイ３に位置決めされているとき、台紙５２と第１突き当て部４４Ａ〜４４Ｃは突き当たらない。
【００２８】
図４（ｃ）、（ｄ）は、台紙５２を用いて記録される記録媒体の一例を示す。図４（ｃ）は、図４（ｂ）に示す台紙５２と同様の形状を有するネイルシール用台紙５３をトレイ３が保持している状態を示し、ネイルシール用台紙５３はネイルシール用の記録面５４が配置された台紙である。記録装置１は、このようなネイルシール用台紙５３をトレイ３に載置することで、記録面５４に対してネイルシール用の記録を行うことができる。
【００２９】
一方、図４（ｄ）は、記録媒体としてのカードを載置するためのカード載置面５９を設けた台紙５２を保持している状態を示す。カード載置面５９は、台紙５２の表面より高さが低い凹部となっており、記録媒体（カード）の外形に合わせた形状となっている。カード載置面５９には例えば、ＪＩＳ等で定型サイズが規定されているカード等の記録媒体を載置することができる。また、カード載置面５９の凹部の深さは、カード載置面５９にカードが載置されている状態で、カードの表面と台紙５２の表面が略同じ高さとなるように形成されることが望ましい。そのため、カードの厚みに応じて、台紙５２に貫通穴または所定深さを有する非貫通穴を設けることで、カード載置面５９が形成される。
【００３０】
なお、台紙５２及びネイルシール用台紙５３は、カードやネイルシール等の記録媒体に対して縁無し記録が可能なように、少なくとも記録媒体の外側がインク受容層によって形成されていてもよい。また、台紙５２及びネイルシール用台紙５３はプラスチック等によって形成されていてもよい。さらに、ネイルシールやカードは台紙５２を用いて印刷される記録媒体の一例であり、本発明はこれに限定されるものではない。
【００３１】
図５は、トレイ３によってディスク５１が保持されている状態を示す上面拡大図である。ディスク５１は押圧部材４２によって、下流側第１突き当て部４４Ａ、４４Ｂと、押圧部材４２に設けられた上流側第１突き当て部４４Ｃに突き当てられることで、トレイ３に対して位置決めされる。すなわち、３つの第１突き当て部４４によって、ディスク５１がトレイ３に対して位置決めされる。下流側第１突き当て部４４Ａ、４４Ｂは、載置されるディスク５１の外縁に当接可能であって、載置されたディスク５１のＸ方向における中心線に対して左右対称に配されている。本実施形態では、下流側第１突き当て部４４Ａ、４４Ｂによって任意の角度Ａを形成するように、Ｙ方向及びＸ方向と交差するように傾いた斜面で形成されている。なお、角度Ａは９０度以上であることが好ましい。一方、上流側第１突き当て部４４Ｃは、ディスク５１を保持している状態においてＸ方向と略平行になるように形成されている。
【００３２】
トレイ３にはさらに、挿入方向（−Ｙ方向）の下流側に第１反射部４７Ａと第２反射部４７Ｂが設けられている。トレイ３が記録装置１に挿入されると、キャリッジ３１に搭載される光学センサ２５Ａによって第１反射部４７Ａと第２反射部４７ＢのＸ方向及びＹ方向の位置を検知することで、記録装置１はディスク５１の位置を算出することができる。
【００３３】
図６を用いて、トレイ３の第１突き当て部４４の詳細構成を説明する。図６（ａ）はディスク５１を保持した状態のトレイ３の上面図であり、図６（ｂ）は、図６（ａ）に示す断面線７１Ａで下流側第１突き当て部４４ＡをＺ方向に切断した断面図である。
【００３４】
図６（ｂ）に示すように、下流側第１突き当て部４４Ａは、ディスク５１と突き当たる突き当て面６１Ａと、突き当て面６１Ｂに対して傾斜している傾斜面６１Ｂによって構成される。突き当て面６１Ａは、ディスク５１の厚み以上の長さで形成されている。また、傾斜面６１Ｂはトレイ３の表面６１Ｄと接続され、載置されたディスク５１の印刷面に対して突出するように形成されている。すなわち、上から見たときにディスク５１の印刷面が傾斜面６１Ｂによって覆われるように形成されている。また、突き当て面６１Ａと傾斜面６１Ｂのなす内角は任意の角度Ｂとなるように形成される。なお、角度Ｂは９０度以上であることが好ましい。なお、図６（ａ）に示す断面線７１Ｂで下流側第１突き当て部４４Ｂを切断した断面図も、図６（ｂ）と同様となるため説明を省略する。
【００３５】
図６（ｃ）は、図６（ａ）に示す断面線７１Ｃで上流側第１突き当て部４４ＣをＺ方向に切断した断面図である。上流側第１突き当て部４４Ｃは押圧部材４２に設けられているため、図６（ｃ）は断面線７１Ｃで切断した押圧部材４２の一部の断面図に相当する。上流側第１突き当て部４４Ｃは、下流側第１突き当て部４４Ａ、４４Ｂと同様に、ディスク５１と突き当たる突き当て面６２Ａと、突き当て面６２Ａに対して傾斜している傾斜面６２Ｂによって構成される。突き当て面６２Ａはディスク５１の厚み以上の長さで形成されている。また、傾斜面６２Ｂは押圧部材の表面６２Ｃと接続され、載置されたディスク５１の印刷面に対して突出するように形成されている。すなわち、上から見たときにディスク５１の印刷面が傾斜面６２Ｂによって覆われるように形成されている。また、突き当て面６２Ａと傾斜面６２Ｂのなす内角は任意の角度Ｃとなるように形成される。なお、角度Ｃは９０度以上であることが好ましい。
【００３６】
図６に示すように、各第１突き当て部４４は上から見たときにディスク５１の印刷面とオーバーラップするような傾斜面を有する。そのため、ユーザがトレイ３にディスク５１をセットする際は、まず下流側第１突き当て部４４Ａ、４４Ｂに対して傾斜面６１Ｂの下から滑り込ませるようにディスク５１を挿入して突き当て面６１Ａにディスク５１を突き当てる。その後ユーザは、押圧部材４２を付勢力に抗して−Ｙ方向上流にスライドさせてディスク５１を凹部４１に載置した後、押圧部材４２から手を離すと、押圧部材４２が付勢力によって挿入方向（−Ｙ方向）下流にスライドする。この押圧部材４２のスライドによって、押圧部材４２に設けられた上流側第１突き当て部４４Ｃとディスク５１が突き当たって、トレイ３に対するディスク５１の位置決めが完了する。
【００３７】
トレイ３はさらに、下流側第１突き当て部４４Ａ、４４Ｂの突き当て面６１Ａ近傍の凹部４１に開口部４６Ｄが設けられている（図６（ｂ）参照）。また図６（ｃ）に示すように、上流側第１突き当て部４４Ｃの突き当て面６２Ａ近傍の凹部４１には、開口部４６Ａが設けられている。これにより、ユーザがディスク５１を挿入する際のＺ方向におけるクリアランスを大きくすることができ、操作性が向上する。
【００３８】
図７の比較例を用いて、第１突き当て部４４の構成の効果を説明する。図７は、従来のディスク印刷用のトレイの一例を示す上面斜視図である。従来のトレイは、ディスクを載置する載置面の中央部に嵌合部３０が設けられている。ユーザは、ディスク中央の穴を嵌合部３０に嵌め込むことで、トレイに対するディスクの位置決めを行う。しかしながら、トレイにディスクを位置決めした状態で、ユーザが矢印２８Ａ〜２８Ｄで示す方向にトレイが反るように曲げると、嵌合部３０からディスクが外れてしまう虞があった。
【００３９】
本実施形態のトレイ３は、ディスク５１の位置決めを行う第１突き当て部４４に傾斜面６１Ｂ、６２Ｂが設けられている。そのため、トレイ３が曲げられてディスク５１が凹部４１から離れる方向に撓もうとしても、傾斜面６１Ｂ、６２Ｂに当接してそれ以上撓むことを抑制される。このように、従来のトレイと比較して、本実施形態のトレイ３はディスク５１の保持性が向上し、ディスク５１がトレイ３から外れにくい構成となっている。
【００４０】
図８は、下流側突き当て部４４Ａの傾斜面６１Ｂの変形例を示す断面模式図である。本変形例では、傾斜面６１Ｂと接続されて載置されるディスク５１の印刷面と平行に形成され突出した庇部（庇面）６１Ｃを設けている。庇部６１Ｃは、図６で説明した傾斜面６１Ｂと同様に、上から見たときにディスク５１の印刷面を覆うように設けられている。これにより、傾斜面６１Ｂのみを設ける場合と比較して、さらにトレイ３からディスク５１が外れにくくなり、ディスク５１の保持性を向上させることができる。この場合、庇部６１Ｃと載置されたディスク５１の印刷面との間には、必要十分なクリアランス５１Ｃを設けることで、部品公差によらずディスク５１を確実に保持することができる。
【００４１】
図９は、下流側突き当て部４４Ａの第２の変形例であって、下流側突き当て部４４Ａ近傍の模式的な上面拡大図である。ハッチングで示した６１Ｄは図６で示した突き当て面６１Ａの変形例であり、点線５１Ｃはディスク５１の外縁を示す。曲線で示す湾曲部６１Ｅは図６における傾斜面６１Ｂ（或いは庇部６１Ｃ）に対応し、ディスクの外縁５１Ｃに沿う形状で形成されている。このように、湾曲部６１Ｅ（傾斜面または庇部）をディスク５１の外縁５１Ｃの形状に合わせて設けることで、ディスク５１の保持性をより向上させることができる。
【００４２】
次に、図１０を用いて押圧部材４２の詳細構成を説明する。図１０（ａ）はディスク５１を保持したトレイ３の上面図であり、図１０（ｂ）は図１０（ａ）に示す断面線７１ＤでＺ方向に切断した押圧部材４２の断面図である。図１０（ｃ）は、押圧部材４２をトレイ３の裏面（記録媒体を載置しない面）から見た拡大図である。
【００４３】
押圧部材４２は、図１０（ｃ）に示すように、トレイ３に設けられた係合穴３Ａに対してボス４２ＡがＹ方向にスライド可能に係合することで、トレイ３に対して回転可能に保持されている。押圧部材４２のトレイ３に対する回転方向は、図１０（ａ）に示す矢印２８Ｅの方向である。ボス４２Ａは、押圧部材４２の回転に合わせて係合穴３Ａの中でＸ方向にも移動可能なように、Ｘ方向において係合穴３Ａをボス４２Ａより大きめに形成してガタを設けている（図１０（ｂ）参照）。
【００４４】
さらに、トレイ３には、ボス４２Ａを中心として左右対称となる位置に弾性部材４３Ａ、４３Ｂが設けられている。弾性部材４３Ａ、４３Ｂはトレイ３と押圧部材４２を接続し、押圧部材４２を−Ｙ方向に付勢する。これにより、ディスク５１が適切な位置に載置されていない場合に、左右の弾性部材４３Ａ、４３Ｂの弾性力によってディスク５１が適切な位置になるようにイコライズされる。
【００４５】
図１０（ｄ）は、押圧部材４２が台紙５２を押圧している際の上面模式図である。図１０（ｄ）では説明のために、押圧部材４２がディスク５１を押圧している際のディスク５１の位置を点線で示す。図１０（ｄ）は、台紙５２が上流側第２突き当て部４５Ｃ、４５Ｄに突き当たっている様子を示す。押圧部材４２において上流側第２突き当て部４５Ｃ、４５Ｄは、上流側第１突き当て部４４Ｃを中心に両側に配されている。また、上流側第２突き当て部４５Ｃ、４５Ｄは、点線で示したディスク５１の外縁とは当接しない位置に配され、−Ｙ方向において上流側第１突き当て部４４Ｃより突出した形状を有する。
【００４６】
図１０（ｅ）は図１０（ｄ）の変形例であり、上流側第２突き当て部４５Ｃ、４５Ｄを−Ｙ方向に突出させない代わりに、上流側第２突き当て部４５Ｃ、４５Ｄと突き当たる台紙５２の領域を＋Ｙ方向に突出させたものである。
【００４７】
このようにトレイ３は、載置面である凹部４１に対してディスク５１及び台紙５２を載置して保持することができるように、スライド可能な押圧部材４２と、押圧部材４２によって押圧されたディスク５１又は台紙５２と個々に対応する突き当て部を設けている。これにより、トレイ３の厚さやサイズを大きくすることなく複数種類の記録媒体を載置することができる。
【００４８】
図１１を用いて、押圧部材４２のイコライズ機能を説明する。図１１（ａ）は、ユーザによってディスク５１が凹部４１の右側に寄せて載置された状態を示す。このときディスク５１は、トレイ３の下流側第１突き当て部４４Ａに対して突き当たっておらず、トレイ３に対して正常に位置決めがなされていない。従って、仮にユーザがこのままトレイ３を記録装置１へ挿入すると、記録位置がずれて印刷されてしまう虞がある。
【００４９】
このような場合、本実施形態のトレイ３であれば、右側に配される弾性部材４３Ｂに対して左側に配される弾性部材４３Ａよりも強く負荷がかかることで、それに抗する付勢力が弾性部材４３Ｂに生じる。この弾性部材４３Ｂの付勢力により、押圧部材４２は矢印５５に示す向きに、弾性部材４３Ａと弾性部材４３Ｂの弾性力が釣り合うまで移動する。この押圧部材４２の移動によって、右側に寄せて配置されたディスク５１は左側へ移動して、下流側第１突き当て部４４Ａに対して突き当たることで適切に位置決めされる（図１１（ｂ）参照）。なお、ディスク５１が凹部４１の左側に寄せて載置された場合も同様に、押圧部材４２によってイコライズされて適切に位置決めされる。
【００５０】
図１２は、トレイ３に保持されたディスク５１に対する印刷動作の様子を示す上面模式図である。記録装置１は搬送手段として、第１搬送ローラ１３と第２搬送ローラ２２を有する。また、第１搬送ローラ１３と対向する位置に配され、第１搬送ローラ１３に対してバネで付勢される複数の第１従動ローラ２１を備える。記録媒体１１やトレイ３は、第１搬送ローラ１３と第１従動ローラ２１に挟持されて搬送される。なお、第１搬送ローラ１３と第１従動ローラ２１によって形成されるニップ部をニップライン２４として図示する。
【００５１】
第２搬送ローラ２２は、挿入方向（−Ｙ方向）において第１搬送ローラ１３より上流側に配され、第１搬送ローラ１３と共に搬送モータ２０によって駆動される。記録装置１にはさらに、第２搬送ローラ２２に対してバネで付勢され、第２搬送ローラ２２と紙等の記録媒体１１を挟持して搬送する不図示の拍車が設けられている。また、拍車とは別に、第２搬送ローラ２２とともにトレイ３を挟持して搬送する第２従動ローラ２７が設けられている。第２従動ローラ２７は、トレイ３のＸ方向における左右端を挟持できるように２箇所設けられている。第２従動ローラ２７は、搬送されるトレイ３の凹部４１よりも外側を挟持する位置に配されている。
【００５２】
なお、第２搬送ローラ２２によって紙等の記録媒体１１を搬送する際、記録媒体１１と第２従動ローラ２７は当接しない。また、第２搬送ローラ２２によってトレイ３を搬送する際は、ユーザがトレイ３を挿入するときにトレイ３を案内するためのガイド部材２９によって拍車が持ち上げられるため、トレイ３と拍車は当接しない。
【００５３】
図１２（ａ）は、ユーザによってトレイ３が−Ｙ方向に挿入されている様子を示す。このとき、ガイド部材２９はＸ方向においてトレイ３を適切な位置に挿入するためのガイドとして機能する。すなわち、ガイド部材２９によってトレイ３のＸ方向における移動やずれが規制される。トレイ３が所定位置まで挿入されると、キャリッジ３１が移動して光学センサ２５Ａによって反射部４７Ａ、４７Ｂが検知されることで、トレイ３の位置が検知される。
【００５４】
光学センサ２５Ａによってトレイ３の位置が検知されると、第１搬送ローラ１３と第２搬送ローラ２２が回転することで、図１２（ｂ）に示すように−Ｙ方向へさらにトレイ３を引き込んで、記録ヘッド１２による印刷開始位置まで搬送する。
【００５５】
ここで、押圧部材４２は、挿入方向（−Ｙ方向）の上流側に配されているため、トレイ３が印刷開始位置まで搬送されても、押圧部材４２はニップライン２４より−Ｙ方向の上流に位置する。すなわち、押圧部材４２は、トレイ３に保持された記録媒体に対する印刷動作の間、第１搬送ローラ１３と第１従動ローラ２１によって挟持されない。これにより、押圧部材４２が第１搬送ローラ１３と第１従動ローラ２１によって挟持されて誤動作して、ディスク５１がトレイ３から外れることを抑制することができる。印刷動作が終わると、ユーザがトレイ３から記録媒体を取り外すことで、印刷物が作製される。
【００５６】
このように、押圧部材４２がトレイ３の挿入方向において上流側に配され、挿入方向の下流側に向けてディスク５１等の記録媒体を付勢して保持する構成にすることで、記録媒体を確実に保持したトレイ３の搬送を実現することができる。
【００５７】
なお、記録装置１の正面から−Ｙ方向にトレイ３を挿入して引き込んだ後、＋Ｙ方向に搬送しながら印刷する形態を例に説明したが、トレイ３の挿入方向はこれに限られない。すなわち、記録装置１の背面から＋Ｙ方向にトレイ３を挿入して、＋Ｙ方向に印刷する形態においても、挿入方向（＋Ｙ方向）の下流側に押圧部材４２を設けることで、同様の効果を得ることができる。
【００５８】
また、以上ではインクジェット方式を利用した記録装置を例に説明したが、電子写真方式を利用した画像形成装置に対しても採用可能である。
【符号の説明】
【００５９】
３  トレイ
４１  凹部（載置面）
４２  押圧部材
４４  第１突き当て部
５１  ディスク（記録媒体）
【図１】
2020019229.tif 000003
【図２】
2020019229.tif 000004
【図３】
2020019229.tif 000005
【図４】
2020019229.tif 000006
【図５】
2020019229.tif 000007
【図６】
2020019229.tif 000008
【図７】
2020019229.tif 000009
【図８】
2020019229.tif 000010
【図９】
2020019229.tif 000011
【図１０】
2020019229.tif 000012
【図１１】
2020019229.tif 000013
【図１２】
2020019229.tif 000014